(57)【要約】【課題】レンズカバーを取り付けずとも、本体ケース内への水滴等の浸入を防止することができる防水性の高いインターホン機器を提供する。【解決手段】レンズを保持するレンズ鏡枠に鍔状の密着片を設け、密着片とカメラ窓の周縁部とが前後方向で重なるようにする一方、本体ケースの前面の内面側に、カメラ窓を囲むように弾性部材を配置し、弾性部材により密着片の前面と本体ケースの内面との間がシールされた状態で、カメラが設置されるようにした。したがって、レンズの前方を覆うようなレンズカバーを設けずとも、カメラ窓を介しての水滴の浸入等を効果的に防止することができるし、レンズカバーを設けていたことで生じていた有害なゴーストやフレアが発生することもない。【選択図】図４
2014192605.tif 000002
【特許請求の範囲】
【請求項１】
本体ケースの前面にカメラ窓が開設されているとともに、前記カメラ窓からレンズが露出するように、前記レンズを有するカメラが前記本体ケースの内部に設置されてなるインターホン機器であって、
前記レンズを保持するレンズ鏡枠に鍔状の密着片を設け、前記密着片と前記カメラ窓の周縁部とが前後方向で重なるようにする一方、前記本体ケースの前面の内面側に、前記カメラ窓を囲むように弾性部材を配置し、
前記弾性部材により前記密着片の前面と前記本体ケースの内面との間がシールされた状態で、前記カメラが設置されていることを特徴とするインターホン機器。
【請求項２】
前記カメラが、前記レンズ及び前記レンズ鏡枠を有するレンズユニットと、前記レンズユニットの後部側で前記レンズユニットを支持するレンズホルダと、撮像素子が搭載され、前記レンズホルダの後側に配置される回路基板とを備えてなり、
前記密着片と前記レンズホルダの前面とが、前後方向で重なっていることを特徴とする請求項１に記載のインターホン機器。
【請求項３】
前記レンズホルダが、前記本体ケースの内面にネジ止めされている一方、前記レンズユニット及び前記回路基板が、夫々別個に前記レンズホルダと一体化されていることを特徴とする請求項２に記載のインターホン機器。
【請求項４】
前記レンズホルダに、内周面にネジ溝が刻設された螺合孔を設ける一方、前記レンズ鏡枠の後部に、前記螺合孔へねじ込み可能な雄ねじ部を設けるとともに、前記雄ねじ部の前側に隣接して前記雄ねじ部よりも小径となるくびれ状の凹部を設け、該凹部にＯリングを嵌装しており、
前記雄ねじ部の前記螺合孔への螺合により、前記Ｏリングが前記凹部内で潰れるように変形して、前記レンズユニットが前記レンズホルダに固定されることを特徴とする請求項２又は３に記載のインターホン機器。
【発明の詳細な説明】
【技術分野】
【０００１】
本発明は、たとえば来訪者等を撮像するための撮像手段を備えたインターホン機器に関するものである。
【背景技術】
【０００２】
従来、インターホン機器の一例であるインターホン子機には、来訪者等を撮像するためのカメラが備えられることがある。そして、そのようなカメラ付きのインターホン子機としては、たとえば特許文献１に開示されているものがあり、本体ケースの前面にカメラのレンズを露出させるとともに、該レンズを覆うようにレンズカバーを取り付けた構造を有していた。
【０００３】
しかしながら、レンズカバーを取り付けると、レンズカバーを本体ケースよりも前方へ大きく突出させる必要があるから、レンズカバーが傷つくことによるカメラの解像度の低下、レンズカバーの界面で発生する太陽光の反射に起因した有害なゴーストやフレアの発生が問題となっていた。そこで、本件出願人は、カメラのレンズの前方にレンズカバーを取り付けないインターホン機器を考案している（特願２０１２−４１９６５号）。
【先行技術文献】
【特許文献】
【０００４】
【特許文献１】特開２０１０−９３６４８号公報
【発明の概要】
【発明が解決しようとする課題】
【０００５】
しかしながら、レンズカバーを取り付けない構造とすると、レンズを露出させるためのカメラ窓とレンズを支持する支持体との隙間から水滴等が本体ケース内へ浸入しやすいという問題が新たに生じた。
【０００６】
そこで、本発明は、上記問題に鑑みなされたものであって、レンズカバーを取り付けずとも、本体ケース内への水滴等の浸入を防止することができる防水性の高いインターホン機器を提供しようとするものである。
【課題を解決するための手段】
【０００７】
上記目的を達成するために、本発明のうち請求項１に記載の発明は、本体ケースの前面にカメラ窓が開設されているとともに、カメラ窓からレンズが露出するように、レンズを有するカメラが本体ケースの内部に設置されてなるインターホン機器であって、レンズを保持するレンズ鏡枠に鍔状の密着片を設け、密着片とカメラ窓の周縁部とが前後方向で重なるようにする一方、本体ケースの前面の内面側に、カメラ窓を囲むように弾性部材を配置し、弾性部材により密着片の前面と本体ケースの内面との間がシールされた状態で、カメラが設置されていることを特徴とする。
請求項１に記載の発明によれば、レンズを保持するレンズ鏡枠に鍔状の密着片を設け、密着片とカメラ窓の周縁部とが前後方向で重なるようにする一方、本体ケースの前面の内面側に、カメラ窓を囲むように弾性部材を配置し、弾性部材により密着片の前面と本体ケースの内面との間がシールされた状態で、カメラが設置されているため、レンズの前方を覆うようなレンズカバーを設けずとも、カメラ窓を介しての水滴の浸入等を効果的に防止することができるし、レンズカバーを設けていたことで生じていた有害なゴーストやフレアが発生することもない。
【０００８】
請求項２に記載の発明は、請求項１に記載の発明において、カメラが、レンズ及びレンズ鏡枠を有するレンズユニットと、レンズユニットの後部側でレンズユニットを支持するレンズホルダと、撮像素子が搭載され、レンズホルダの後側に配置される回路基板とを備えてなり、密着片とレンズホルダの前面とが、前後方向で重なっていることを特徴とする。
請求項２に記載の発明によれば、カメラが、レンズ及びレンズ鏡枠を有するレンズユニットと、レンズユニットの後部側でレンズユニットを支持するレンズホルダと、撮像素子が搭載された回路基板とを備えてなり、密着片とレンズホルダの前面とが、前後方向で重なっているため、レンズに本体ケースの内側方向へ強い負荷がかかり、レンズユニットが本体ケースの内側へ押し込まれてしまったとしても、密着片の後面がレンズホルダの前面に当接し、それ以上の移動が阻止される。したがって、レンズユニットと回路基板とが接触する等してカメラが大きく損傷してしまうような事態を防止することができる。
【０００９】
請求項３に記載の発明は、請求項２に記載の発明において、レンズホルダが、本体ケースの内面にネジ止めされている一方、レンズユニット及び回路基板が、夫々別個にレンズホルダに固定されていることを特徴とする。
請求項３に記載の発明によれば、レンズホルダが、本体ケースの内面にネジ止めされている一方、レンズユニット及び回路基板が、夫々別個にレンズホルダに固定されているため、たとえ本体ケースに強い負荷がかかったとしても、該負荷は直接回路基板へ伝播せずに分散されることになる。したがって、回路基板の耐衝撃性を向上することができ、ひいてはカメラの耐久性を向上することができる。また、レンズホルダを本体ケースの前面の内面へネジ止めするため、該ネジ止めにより弾性部材が密着片の前面と本体ケースの内面との間で自然と挟持されることになり、弾性部材の取付作業が容易である。
【００１０】
請求項４に記載の発明は、請求項２又は３に記載の発明において、レンズホルダに、内周面にネジ溝が刻設された螺合孔を設ける一方、レンズ鏡枠の後部に、螺合孔へねじ込み可能な雄ねじ部を設けるとともに、雄ねじ部の前側に隣接して雄ねじ部よりも小径となるくびれ状の凹部を設け、該凹部にＯリングを嵌装しており、雄ねじ部の螺合孔への螺合により、Ｏリングが凹部内で潰れるように変形して、レンズユニットがレンズホルダに固定されることを特徴とする。
請求項４に記載の発明によれば、雄ねじ部の螺合孔への螺合により、Ｏリングが凹部内で潰れるように変形して、レンズユニットがレンズホルダに固定されるようにしているため、レンズホルダへレンズユニットを螺合する際、合焦点へ近づくにつれてトルクが強くなる。したがって、レンズホルダに対してレンズユニットを合焦点で強固に固定することができるし、レンズに強い負荷がかかった際には、Ｏリングが緩衝部材としての機能をも果たし、耐衝撃性の一層の向上を図ることができる。
【発明の効果】
【００１１】
本発明によれば、レンズを保持するレンズ鏡枠に鍔状の密着片を設け、密着片とカメラ窓の周縁部とが前後方向で重なるようにする一方、本体ケースの前面の内面側に、カメラ窓を囲むように弾性部材を配置し、弾性部材により密着片の前面と本体ケースの内面との間がシールされた状態で、カメラが設置されるようにした。したがって、レンズの前方を覆うようなレンズカバーを設けずとも、カメラ窓を介しての水滴の浸入等を効果的に防止することができるし、レンズカバーを設けていたことで生じていた有害なゴーストやフレアが発生することもない。
【図面の簡単な説明】
【００１２】
【図１】インターホン子機を前面側から示した説明図である。
【図２】カメラを設置した状態にある前ケースを後面側から示した斜視説明図である。
【図３】図２の前ケースを分解した状態にある斜視説明図である。
【図４】カメラを設置した状態にある前ケースの部分断面説明図である。
【図５】レンズホルダを示した説明図であって、（ａ）は前面側から示した説明図、（ｂ）は（ａ）中のＡ−Ａ線断面を示した説明図である。
【図６】レンズホルダを後面側から示した斜視説明図である。
【図７】レンズユニットを示した説明図である。
【発明を実施するための形態】
【００１３】
以下、本発明の一実施形態となるインターホン子機について、図面にもとづき詳細に説明する。
【００１４】
図１は、インターホン子機１を前面側から示した説明図である。
インターホン子機１は、前側に配置される前ケース２と、後側に配置される後ケース（図示せず）とで構成される本体ケースを有しており、この本体ケースの前面上部には、円孔状のカメラ窓３が開設され、該カメラ窓３内にレンズ群４が露出するように、カメラ５（図２に示す）が本体ケース内に設置されている。また、カメラ窓３の右側には、通話のためのマイク部６が設けられている。さらに、本体ケースの前面下部には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラ５を作動させて来訪者を撮像する。なお、カメラ５により撮像された映像は、インターホン親機に備えられているモニタに表示される。
【００１５】
ここで、本発明の要部となるカメラ５の構造について、図２〜図７をもとに詳細に説明する。
図２は、カメラ５を設置した状態にある前ケース２を後面側から示した斜視説明図である。図３は、図２の前ケース２を分解した状態にある斜視説明図である。図４は、カメラ５を設置した状態にある前ケース２の部分断面説明図である。図５は、レンズホルダ１０を示した説明図であって、（ａ）は前面側から示した説明図、（ｂ）は（ａ）中のＡ−Ａ線断面を示した説明図である。図６は、レンズホルダ１０を後面側から示した斜視説明図である。図７は、レンズユニット１１を示した説明図である。
【００１６】
カメラ５は、レンズユニット１１と、レンズユニット１１の後部を支持するレンズホルダ１０と、撮像素子（図示せず）等が搭載された回路基板１２とを備えてなる。レンズホルダ１０は、前面が平らな基台で、ガラス繊維が混入した合成樹脂により形成されている。また、レンズホルダ１０の中央部には、レンズユニット１１を螺合させるための螺合孔１３（図５（ｂ）や図６において、螺合孔１３内周面に刻設されたネジ溝は省略している）が設けられている。さらに、レンズホルダ１０の左上隅部、右部、及び下部には、レンズホルダ１０を前ケース２の裏面に固定するための固定片１４、１４・・が設けられている。各固定片１４には、後方へ突出する位置決め凸部１４ａが設けられており、該位置決め凸部１４ａの略中央に、ネジ孔１４ｂが前後方向へ穿設されている。さらにまた、レンズホルダ１０の右上隅部、及び左下隅部には、レンズホルダ１０と回路基板１２とを一体化するためのネジ止め部１５、１５が設けられている。そして、各固定片１４のネジ孔１４ｂ、及びネジ止め部１５のネジ孔は、螺合孔１３の中央を中心とした略同一円周上に位置した状態となっている。加えて、レンズホルダ１０の後面には、螺合孔１３から放射状に延びる複数の補強リブ１６、１６・・が設けられている。
【００１７】
一方、レンズユニット１１は、複数のレンズで構成されるレンズ群４、及びレンズ群４を保持するレンズ鏡枠１７からなる。そして、レンズ鏡枠１７は、前後方向へ延びる円筒状に形成され、内部にレンズ群４を収容し、その一部を前面から露出させた状態で保持可能となっている。また、レンズ鏡枠１７の後部は、螺合孔１３へねじ込み可能な雄ねじ部１８として形成されている（図７（ｂ）において、雄ねじ部１８の外周面に刻設されたネジ部は省略している）。さらに、レンズ鏡枠１７の前後方向での略中央部には、外周面から外方へ突出する鍔状の密着片１９が周設されている。該密着片１９は、前後両面共に平らな円板状に形成されており、カメラ窓３よりも大径で、後述の如くカメラ５の前ケース２への設置状態において、カメラ窓３の周縁部と前後方向で重なるようになっている。また、後述の如くレンズユニット１１とレンズホルダ１０とを一体化した際、密着片１９とレンズホルダ１０の前面とが前後方向で重なるようになっている。また、密着片１９の外周縁には、４５°間隔で切り欠き２０、２０・・が設けられている。さらに、雄ねじ部１８の前側に隣接する位置には、太さ１ｍｍ以下のＯリング２１（図４に示す）を取り付けるためのくびれ状の取付凹部２２が周設されている。
【００１８】
加えて、回路基板１２は、前面に撮像素子を始めとした種々の素子が搭載されてなる基板であって、レンズホルダ１０の後側に配置されている。そして、該回路基板１２には、レンズホルダ１０へネジ止めするためのネジ止め孔２３、２３、及びレンズホルダ１０の位置決め凸部１４ａが入り込み可能な位置決め孔２４や位置決め用切り欠き２５、２５が設けられている。
【００１９】
上述の如きカメラ５の組み立て及び前ケース２への設置について説明すると、まずＯリング２１を取付凹部２２に嵌装した状態で、レンズ鏡枠１７の雄ねじ部１８をレンズホルダ１０の前方側から螺合孔１３へねじ込み、レンズユニット１１とレンズホルダ１０とを一体化する。このレンズユニット１１のレンズホルダ１０への螺合度合いを調整することにより、フォーカス調整が可能となっている。また、レンズホルダ１０へねじ込む際には、切り欠き２０、２０・・に回転工具を係合させる等してねじ込めばよい。さらに、レンズユニット１１をねじ込むと、フォーカスが合焦点に近づくにつれＯリング２１が取付凹部２２内で潰されるように変形してトルクが強くなり、レンズユニット１１は合焦点でレンズホルダ１０に強固に固定されることになる。
【００２０】
次に、レンズホルダ１０の位置決め凸部１４ａ、１４ａ・・を対応する回路基板１２の位置決め孔２４や位置決め用切り欠き２５、２５へ嵌め込み、回路基板１２上でのレンズホルダ１０の位置を位置決めした後、ネジ止め部１５、１５からネジ止め孔２３、２３へとネジ（図示せず）を螺入し、レンズホルダ１０と回路基板１２とを一体化してカメラ５を組み立てる。さらに、前ケース２の後面においてカメラ窓３を囲むように弾性部材２８を配置した上で、レンズ群４をカメラ窓３内へ露出させながら、レンズホルダ１０の固定片１４、１４・・を、前ケース２の後面に突設された固定ボス２６、２６・・にあてがい、カメラ５の後方側からネジ２７、２７・・をネジ孔１４ｂ、１４ｂ・・及び固定ボス２６、２６・・へとねじ込んで、カメラ５を前ケース２の後面に取り付ける。すると、密着片１９の前面と前ケース２の後面との間が弾性部材２８によりシールされた状態で、カメラ５が前ケース２の後面に取り付けられることになり、カメラ５の組み立て及び前ケース２への設置は完了となる。
【００２１】
以上のような構成を有するインターホン子機１によれば、カメラ窓３から露出するレンズ群４を有するカメラ５（特にレンズ鏡枠１７）に、カメラ窓３よりも大径で、前ケース２への設置状態においてカメラ窓３の周縁部と前後方向で重なる鍔状の密着片１９を設けるとともに、密着片１９の前面と前ケース２の後面との間に弾性部材２８を介在させ、弾性部材２８が密着片１９の前面と前ケース２の後面との間をシールするように構成している。したがって、レンズ群４の前方を覆うようなレンズカバーを設けずとも、カメラ窓３を介しての水滴の浸入等を効果的に防止することができるし、レンズカバーを設けていたことで生じていた有害なゴーストやフレアが発生することもない。
【００２２】
また、カメラ５において、密着片１９とレンズホルダ１０の前面とが、レンズユニット１１とレンズホルダ１０との一体化状態において前後方向で重なるようになっている。そのため、レンズ群４に本体ケースの内側方向へ強い負荷がかかり、レンズユニット１１が本体ケースの内側へ押し込まれてしまったとしても、密着片１９の後面がレンズホルダ１０の前面に当接し、それ以上の後方（特に回路基板１２側）への移動が阻止される。したがって、レンズユニット１１と回路基板１２とが接触する等してカメラ５が大きく損傷してしまうような事態を防止することができる。
【００２３】
さらに、回路基板１２と前ケース２とを直接ネジ止めしておらず、レンズホルダ１０を介して回路基板１２と前ケース２とを一体化する、すなわちレンズホルダ１０と回路基板１２とをネジ止めするとともに、該ネジ止めとは別個にレンズホルダ１０と前ケース２とをネジ止めするようになっている。そのため、たとえ前ケース２に強い負荷がかかったとしても、該負荷は直接回路基板１２へ伝播せずに分散されることになる。したがって、回路基板１２の耐衝撃性を向上することができ、ひいてはカメラ５の耐久性を向上することができる。また、レンズホルダ１０を前ケース２へネジ止めするため、該ネジ止めにより弾性部材２６が密着片１９の前面と前ケース２の後面との間で自然と挟持されることになり、弾性部材２６の取付作業が容易である。
【００２４】
さらにまた、レンズホルダ１０に螺合孔１３を設ける一方、レンズ鏡枠１７の後部に雄ねじ部１８を設け、レンズホルダ１０とレンズユニット１１とを雄ねじ部１８の螺合孔１３への螺合により一体化するとともに、レンズ鏡枠１７における雄ねじ部１８の前側に隣接した位置に取付凹部２２を設け、該取付凹部２２にＯリング２１を嵌装している。そのため、レンズホルダ１０へレンズユニット１１を螺合する際、Ｏリング２１が取付凹部２２内で潰されるように変形し、合焦点へ近づくにつれてトルクが強くなる。したがって、レンズホルダ１０に対してレンズユニット１１を合焦点で強固に固定することができるし、レンズ群４に強い負荷がかかった際には、Ｏリング２１が緩衝部材としての機能をも果たし、耐衝撃性の一層の向上を図ることができる。
【００２５】
またさらに、レンズホルダ１０に螺合孔１３から放射状に延びる補強リブ１６、１６・・を設けているため、レンズホルダ１０の強度向上を図ることができる。
加えて、レンズホルダ１０と回路基板１２とをネジ止めするネジ止め部１５、１５、及びレンズホルダ１０と前ケース２とをネジ止めするネジ孔１４ｂ、１４ｂ・・を、螺合孔１３の中央を中心とした略同一円周上に位置させているため、カメラ５を前ケース２へネジ止めする際に締め付け状態を均等にしやすく、カメラ５の意図しない傾き等を防止しやすい。したがって、前ケース２の写り込みや方ボケといった不具合が生じにくい。
【００２６】
なお、本発明に係るインターホン機器は、上記実施形態の態様に何ら限定されるものではなく、インターホン機器の全体的な構成は勿論、レンズホルダ１０やレンズユニット１１、またそれらの本体ケースへの取り付けに係る構成について、本発明の趣旨を逸脱しない範囲で、必要に応じて適宜変更することができる。
【００２７】
たとえば、上記実施形態では、レンズホルダ１０とレンズユニット１１とを別体としているが、一体成形してもよいし、レンズホルダ１０のどこに固定片１４、１４・・やネジ止め部１５、１５を設けるか、さらにその数等についても適宜設計変更可能である。
また、密着片１９に設ける切り欠き２０、２０・・やレンズホルダ１０に設けた補強リブ１６、１６・・についても、その有無や数、形状を適宜設計変更することは当然可能であるし、回路基板１２を前ケース２に直接ネジ止めするような構成を採用することもできる。
加えて、上記実施形態ではインターホン子機について説明しているが、本発明のインターホン機器は、カメラを有してなるインターホン機器であれば、インターホン親機やテレビドアホンシステムの玄関子機等の他のインターホン機器に対しても良好に適用することができる。
【符号の説明】
【００２８】
１・・インターホン子機（インターホン機器）、２・・前ケース（本体ケース）、３・・カメラ窓、４・・レンズ群（レンズ）、５・・カメラ、１０・・レンズホルダ、１１・・レンズユニット、１２・・回路基板、１３・・螺合孔、１４・・固定片、１４ａ・・位置決め凸部、１４ｂ・・ネジ孔、１５・・ネジ止め部、１６・・補強リブ、１７・・レンズ鏡枠、１８・・雄ねじ部、１９・・密着片、２０・・切り欠き、２１・・Ｏリング、２２・・取付凹部（凹部）、２３・・ネジ止め孔、２４・・位置決め孔、２５・・位置決め用切り欠き、２６・・固定ボス、２７・・ネジ、２８・・弾性部材。
【図１】
2014192605.tif 000003
【図２】
2014192605.tif 000004
【図３】
2014192605.tif 000005
【図４】
2014192605.tif 000006
【図５】
2014192605.tif 000007
【図６】
2014192605.tif 000008
【図７】
2014192605.tif 000009